(57)【特許請求の範囲】
【請求項１】
複数の入力ソースから入力され、同一の表示画面に複数の視野角に対応して表示される複数の画像を、各視野角方向で、各別に同時に視認できるようにするマルチビュー表示と、
各視野角方向で、１つの入力ソースから入力される画像を視認できるようにする単画面表示と
を行う表示装置を用い、少なくとも二つの視野角方向で、視聴のための画像を視認できない状態にする非視聴ステップを有する表示方法において、
前記非視聴ステップの前に、表示状態がマルチビュー表示及び単画面表示のいずれの表示状態であるかを記録するステップと、
前記非視聴ステップの後に、前記表示画面の少なくとも一部の領域につき前記単画面表示を行い、前記領域内に前記表示状態を示す識別情報を表示する情報表示ステップと
を有することを特徴とする、表示方法。
【請求項２】
前記識別情報は、前記非視聴ステップの前に表示されていた画像の入力ソースからの画像である、請求項１に記載の表示方法。
【請求項３】
前記識別情報は、前記非視聴ステップの前に表示されていた画像が入力された入力ソースを示す文字又は記号である、請求項１又は２に記載の表示方法。
【請求項４】
前記識別情報は、単画面表示又はマルチビュー表示のいずれの表示状態であったかを示す文字情報である、請求項１から３のいずれか１項に記載の表示方法。
【請求項５】
前記情報表示ステップの際に、前記マルチビュー表示と前記単画面表示との選択、及び／又は入力ソースの選択をする選択画像を表示する、請求項１から４のいずれか１項に記載の表示方法。
【請求項６】
前記情報表示ステップの後に、前記非視聴ステップ以前の表示状態と同じ表示状態にするステップを有する、請求項１から５のいずれか１項に記載の表示方法。
【請求項７】
前記非視聴ステップ以前の表示状態が前記マルチビュー表示であった場合、前記情報表示ステップは、該マルチビュー表示におけるいずれか一つの入力ソースを選択して単画面表示する、請求項１、３から６のいずれか１項に記載の表示方法。
【請求項８】
コンピュータに、複数の入力ソースから入力され、同一の表示画面に複数の視野角に対応して表示される複数の画像を、各視野角方向で、各別に同時に視認できるようにするマルチビュー表示と、
各視野角方向で、１つの入力ソースから入力される画像を視認できるようにする単画面表示と
を行う表示装置を用い、少なくとも二つの視野角方向で視聴のための画像を視認できない状態にさせる非視聴ステップを有するコンピュータプログラムにおいて、
コンピュータに、前記非視聴ステップの前に、表示状態がマルチビュー表示及び単画面表示のいずれの表示状態であるかを記録させるステップと、
コンピュータに、前記非視聴ステップの後に、前記表示画面の少なくとも一部の領域につき前記単画面表示を行わせ、前記領域内に前記表示状態を示す識別情報を表示させるステップと
を有することを特徴とする、コンピュータプログラム。
【請求項９】
複数の入力ソースから入力され、同一の表示画面に複数の視野角に対応して表示される複数の画像を、各視野角方向で、各別に同時に視認できるようにするマルチビュー表示と、
各視野角方向で、１つの入力ソースから入力される画像を視認できるようにする単画面表示と
を行う表示装置において、
表示状態がマルチビュー表示及び単画面表示のいずれの表示状態であるかを記録する手段と、
少なくとも二つの表示方向で視聴のための画像を視認できない非視聴状態にする手段と、
前記非視聴状態にした後に、前記表示画面の少なくとも一部の領域につき前記単画面表示を行った状態で、前記領域内に前記表示状態を示す識別情報を表示する単画面起動を行う手段と
を備えることを特徴とする、表示装置。
【請求項１０】
前記単画面起動を行わせる操作手段を有する、請求項９に記載の表示装置。
【発明の詳細な説明】
【技術分野】
【０００１】
本発明は、同一の表示画面から複数の表示方向それぞれに互いに異なる複数の画像を同時に表示するマルチビュー表示と、表示画面から表示方向へ１つの画像を表示する単画面表示とが可能な表示装置に関する。
【背景技術】
【０００２】
従来の表示装置は、同一の表示画面に一つの画像を表示するものが多い。一般にこれらの表示装置は、正面や横方向等のどの方向から見ても、同一の画像を見ることが可能である。
【０００３】
また、これらの表示装置はテレビやパソコンのディスプレイ等に用いられる。これらは電源を切った状態又はスクリーンセーバー（画面の焼きつき防止等のために、パソコンを使用していない間に表示される黒画面や簡単なアニメーション）を表示させた状態等の視聴画像を表示しない状態（非視聴状態）の後に、表示画面を起動した場合にも、どの方向から見ても、同一の画像を見ることが可能である。また、予め非視聴状態になる前のチャンネルやビデオ入力等の入力チャンネルを記憶しておき、非視聴状態になる前と同じ表示状態で起動させることを行う表示装置も多い。
【０００４】
これに対して、一つの画面から複数の表示方向それぞれに、互いに異なる複数の画像を同時に表示するマルチビュー表示を実現させる方法が、いくつか提案されている。その一つの方法として、視差バリアと呼ばれる視野角制御手段を用いて、表示画像の視野角を制御する方法があり、すでに実用化されている。これは、一つの表示画面で、二人以上の視聴者が、互いに異なる画像を見ることが可能になるという面で、特にカーナビゲーションシステム等で好適に用いられている。すなわちマルチビュー表示装置によって、運転席と助手席それぞれに、ナビゲーション画面とビデオ映像等の互いに異なる複数の入力ソースの画像を同時に表示することが可能となった。
【０００５】
一般に、これらのマルチビュー表示装置においては、複数の表示方向の境界方向、例えば左右に２つの表示方向を持つマルチビュー表示装置であれば正面、から画面を視聴した際に、２つの表示方向に対する画像が重なって見える。このため複数の表示方向のどの方向から見ても、同一又はほぼ同一の画像が視聴できる単画面表示を行なうことが可能となっているものもある（特許文献１、２）。
【０００６】
すなわち、２人以上の視聴者が異なる画像を視聴したい際には、マルチビュー表示を行い、同一の画像を視聴したい場合には単画面表示を行なうなどの、表示の切替が行なわれる。
【特許文献１】特開２００５−７１２８６公報
【特許文献２】特開２００５−７３０７６公報
【発明の開示】
【発明が解決しようとする課題】
【０００７】
ところが、一般に視聴者は表示装置の起動時において視聴方向をあまり意識しないため、マルチビュー表示装置の起動時に、視聴者が境界方向から表示画面を見て、複数の表示方向に対する画像が重なって正しく認識できない場合がある。
【０００８】
本発明はこのような問題に鑑みてなされたもので、単画面表示とマルチビュー表示を切替えることができるマルチビュー表示装置において、
マルチビュー表示装置の起動時に、いずれの方向からでも画像を正しく認識できるようにすることを目的としている。
【課題を解決するための手段】
【０００９】
上記課題を解決するため本発明では、複数の入力ソースから入力され、同一の表示画面に複数の視野角に対応して表示される複数の画像を、各視野角方向で、各別に同時に視認できるようにするマルチビュー表示と、各視野角方向で、１つの入力ソースから入力される画像を視認できるようにする単画面表示とを行う表示装置を用い、少なくとも二つの視野角方向で、視聴のための画像を視認できない状態にする非視聴ステップを有する表示方法において、前記非視聴ステップの前に、表示状態がマルチビュー表示及び単画面表示のいずれの表示状態であるかを記録するステップと、前記非視聴ステップの後に、前記表示画面の少なくとも一部の領域につき前記単画面表示を行い、前記領域内に前記表示状態を示す識別情報を表示する情報表示ステップとを有するようにしている。
【００１０】
このような構成にすることによって、単画面表示部分に関して異なる複数の画像が重なって見えることがなくなる。これによって、マルチビュー表示装置の起動時に、いずれの方向からでも画像を正しく認識できるようになる。
【００１２】
このような構成にすることで、視聴者は非視聴状態になる前の表示状態を知ることができる。これによって、視聴者の好みに合わせた表示切替が可能となる。
【００１３】
また、前記識別情報は、前記非視聴ステップの前に表示されていた画像の入力ソースからの画像であるようにしてもよい。
【００１４】
このように画像表示を行うことで、視聴者は画面を見ただけで、非視聴状態になる前におけるチャンネルで現在どのような番組を放送しているのかがわかる。
【００１５】
また、前記識別情報は、前記非視聴ステップの前に表示されていた画像が入力された入力ソースを示す文字又は記号であるようにしてもよい。
【００１６】
これによって、非視聴状態になる前に表示していたチャンネル番号を知ることができ、視聴者の好みに合わせたチャンネル選択が容易になる。
そして、前記識別情報は、単画面表示又はマルチビュー表示のいずれの表示状態であったかを示す文字情報であるようにしてもよい。
【００１７】
また、前記情報表示ステップの際に、前記マルチビュー表示と前記単画面表示との選択、及び／又は入力ソースの選択をする選択画像を表示するようにしてもよい。
【００１８】
このように識別画像表示状態で視聴画像を選ぶことで、視聴者の表示状態やチャンネルの選択が容易になる。
【００１９】
また、前記情報表示ステップの後に、前記非視聴ステップ以前の表示状態と同じ表示状態にするステップを有するようにしてもよい。
【００２０】
これによって、視聴者が画面表示を非視聴状態になる前と同じ状態に戻す手間を省くことができる。
【００２１】
また、前記非視聴ステップ以前の表示状態が前記マルチビュー表示であった場合、前記情報表示ステップは、該マルチビュー表示におけるいずれか一つの入力ソースを選択して単画面表示するようにしてもよい。
【００２２】
これによって、起動時に視聴者がチャンネルを選ぶ手間を省くことができる。
【００２３】
上記課題を解決するため本発明では、コンピュータに、複数の入力ソースから入力され、同一の表示画面に複数の視野角に対応して表示される複数の画像を、各視野角方向で、各別に同時に視認できるようにするマルチビュー表示と、各視野角方向で、１つの入力ソースから入力される画像を視認できるようにする単画面表示とを行う表示装置を用い、少なくとも二つの視野角方向で視聴のための画像を視認できない状態にさせる非視聴ステップを有するコンピュータプログラムにおいて、コンピュータに、前記非視聴ステップの前に、表示状態がマルチビュー表示及び単画面表示のいずれの表示状態であるかを記録させるステップと、コンピュータに、前記非視聴ステップの後に、前記表示画面の少なくとも一部の領域につき前記単画面表示を行わせ、前記領域内に前記表示状態を示す識別情報を表示させるステップとを有するようにしている。
【００２４】
このようなプログラムを用いることによって、単画面表示部分に関して異なる複数の画像が重なって見えることがなくなる。これによって、マルチビュー表示装置の起動時に、いずれの方向からでも画像を正しく認識できるようになる。
【００２５】
上記課題を解決するため本発明では、複数の入力ソースから入力され、同一の表示画面に複数の視野角に対応して表示される複数の画像を、各視野角方向で、各別に同時に視認できるようにするマルチビュー表示と、各視野角方向で、１つの入力ソースから入力される画像を視認できるようにする単画面表示とを行う表示装置において、表示状態がマルチビュー表示及び単画面表示のいずれの表示状態であるかを記録する手段と、少なくとも二つの表示方向で視聴のための画像を視認できない非視聴状態にする手段と、前記非視聴状態にした後に、前記表示画面の少なくとも一部の領域につき前記単画面表示を行った状態で、前記領域内に前記表示状態を示す識別情報を表示する単画面起動を行う手段とを備えるようにしている。
【００２６】
このような構成にすることによって、単画面表示部分に関して異なる複数の画像が重なって見えることがなくなる。これによって、マルチビュー表示装置の起動時に、いずれの方向からでも画像を正しく認識できるようになる。
【００２７】
さらに、前記単画面起動を行わせる操作手段を有するようにしてもよい。
【００２８】
このように単画面起動を表示装置に行わせる操作手段を有することによって、視聴者が起動方法を選択することができ、操作の容易なマルチビュー表示装置が実現する。
【発明の効果】
【００２９】
本発明によれば、単画面表示とマルチビュー表示を切替えることができるマルチビュー表示装置において、
マルチビュー表示装置の起動時に、いずれの方向からでも画像を正しく認識できるようになる。
【発明を実施するための最良の形態】
【００３０】
［実施の形態１］
まず、本実施の形態における表示装置の構成について説明する。なお本実施の形態では、マルチビュー表示装置として、視差バリアを用いることで２つの表示方向それぞれに対して、互いに異なる２つの画像を同時に表示可能であるデュアルビュー表示を行うデュアルビュー表示装置１００を用いた。
【００３１】
図１に、デュアルビュー表示装置１００の構成の具体例を示す。
【００３２】
本実施の形態にかかるデュアルビュー表示装置１００は、ＣＰＵ（Ｃｅｎｔｒａｌ  Ｐｒｏｃｅｓｓｉｎｇ  Ｕｎｉｔ）１１、表示制御部１２、メモリー１３、表示部４０、を含んで構成されており、これらはデータ信号線であるバス１５によって結ばれている。
【００３３】
さらに図に示すように、表示制御部１２には２つの入力ソース（チューナー部Ａ１６及びチューナー部Ｂ１７）から映像情報が入力されるようになっている。
【００３４】
ＣＰＵ１１は表示制御部１２に制御信号を送る機能を有している。表示制御部１２はＣＰＵ１１からの制御信号に基づいて、表示部４０に画像を表示させるための信号を送る機能を有している。メモリー１３はフラッシュメモリー（データの消去・書き込みを自由に行なうことができ、電源を切っても内容が消えない半導体メモリー）であり、表示状態を記憶する機能を有している。チューナー部Ａ１６及びチューナー部Ｂ１７は、テレビ信号を受信して、映像情報にして表示制御部１２に送る機能を有している。
【００３５】
なお、表示制御部１２は、２つの入力ソース（チューナー部Ａ１６及びチューナー部Ｂ１７）からの映像を縮小し画面の自由な位置に表示する画像表示回路及び表示画面に文字を表示させる文字表示回路を備えている。
【００３６】
ここで入力チャンネルとは、入力ソースにおけるテレビチャンネルのことである。
【００３７】
図２に、デュアルビュー表示装置１００の表示部４０の構成の具体例を示す。
【００３８】
表示部４０は、照明装置であるバックライト４１、バックライト４１からの光を透過及び遮光することで、画像を作り出す液晶部４２、さらに視野角特性を持たせるための視差バリア４３を含む。なお液晶部４２はカラーフィルタ（図示しない）を含み、カラー表示を可能としている。
【００３９】
ここで、デュアルビュー表示装置１００の２つの表示方向をそれぞれ第一方向６１、第二方向６３とし、その中間の方向を正面方向６２（境界方向）とする。なお、表示画面に向かって、正面方向６２より左側の表示方向を第一方向６１、表示画面に向かって、正面方向６２より右側の表示方向を第二方向６３とする。さらに第一方向６１に対する画像を第一画像、第二方向６３に対する画像を第二画像と呼ぶこととする。
【００４０】
液晶部４２は、第一画像を表示する第一画像表示領域４２２と、第二画像を表示する第二画像表示領域４２１が、図２に示すように、順番に交互に並んで短冊状に構成される。
【００４１】
視差バリア４３は、液晶部４２の画像を遮断する閉口部４３１と、液晶部４２の画像を通過させる開口部４３２が、図２に示されるように短冊状に交互に構成される。
【００４２】
これらの構造によって、第一画像表示領域４２２に表示された第一画像は、開口部４３２を通過して、第一方向６１にいる視聴者から視聴される。また、第二画像表示領域４２１に表示された第二画像は閉口部４３１に遮断されるので、第一方向６１にいる視聴者からは視聴されない。
【００４３】
一方で、第二画像表示領域４２１に表示された第二画像は、開口部４３２を通過して、第二方向６３にいる視聴者から視聴される。また、第一画像表示領域に表示された第一画像は閉口部４３１に遮断されるので、第二方向６３にいる視聴者からは視聴されない。
【００４４】
このようにして表示部４０は、第一方向６１と第二方向６３それぞれに、第一画像と第二画像を同時に表示する。
【００４５】
なお、本実施の形態では開口部と閉口部が短冊状に交互に構成される視差バリア４３を用いたが、開口部と閉口部がマトリクス状に交互に構成される視差バリアを用いてもよい。この場合には閉口部と開口部とが市松模様状に交互に形成されることで、左から見た場合と右から見た場合に異なる画像が視聴できることに加えて、上から見た場合と下から見た場合にも異なる画像が視聴できる。
【００４６】
図３に、デュアルビュー表示装置１００の２つの表示状態を示す。
【００４７】
図３（ａ）（ｂ）にデュアルビュー表示装置１００を上から見た図が示され、それぞれの表示状態における画像の表示方向が示されている。また、図３（ｃ）（ｄ）は正面からデュアルビュー表示装置１００を見た図であり、それぞれの表示状態における画像の表示状態が示されている。
【００４８】
図３（ａ）及び（ｃ）は、デュアルビュー表示装置１００の第一画像と第二画像に、異なる２つの入力チャンネルの画像を表示させた状態を示している。この表示状態をデュアル表示と呼ぶこととする。
【００４９】
なお、この場合の境界方向は図３（ａ）に示すように正面方向６２となり、デュアルビュー表示装置１００を正面から視聴すると、図３（ｅ）に示すように第一画像と第二画像が重なって見える。
【００５０】
原因としては、視差バリアの構造上２つの方向に対する画像が重なる方向ができることと、人間の目は左右で異なる位置からデュアルビュー表示装置を見ることと、さらに表示画面の大型化に伴い境界方向が拡大することとが考えられる。
【００５１】
図３（ｂ）及び（ｄ）は、デュアルビュー表示装置１００の第一画像と第二画像に、同一の入力チャンネルの画像を表示させた状態を示している。この表示状態をシングル表示（単画面表示）と呼ぶこととする。
【００５２】
なお、この際にデュアルビュー表示装置１００を正面方向６２から視聴すると、第一画像と第二画像が重なって見えるものの、図３（ｆ）に示すように同一の画像であるため一つの画像として視聴者から認識される。
【００５３】
なお、本実施の形態では視差バリア４３を用いるデュアルビュー表示装置１００を用いることで画像の視聴方向を制御したが、画像の透過と遮断を電気的に切り替え可能な視差バリアを用いてもよい。
【００５４】
この構成では、電気的に透過状態と非透過状態とを切り替えて視差バリア４３と同様の閉口部と開口部を作ることでマルチビュー表示を行うことができ、全面を透過状態とすることで単画面表示を行うことが可能である。
【００５５】
なお、視差バリアの全面を透過状態とした際に、第一画像表示領域と第二画像表示領域の両方を使って単一の画像を表示できるので、画面の解像度を２倍にする効果がある。
【００５６】
次に、本実施の形態におけるデュアルビュー表示装置の具体的な動作について、図４のフローチャートを用いて説明する。なお、スタート時点で電源が入っており、１つ又は２つの入力チャンネルの画像がデュアル表示又はシングル表示された状態（通常状態）であるとする。
【００５７】
なお、この場合における視聴画像とは、テレビ放送のいずれかのチャンネルの画像のことである。
【００５８】
まず、スタート時点でデュアル表示されていた場合について説明する（図５（ａ））。
【００５９】
最初のステップとして、視聴者によって電源を切る操作が行われる（ステップＳ１）。
【００６０】
このときのデュアルビュー表示装置は、表示がデュアル表示なのか、シングル表示なのかの表示状態をメモリー１３に保存する。さらに表示されている１つ又は２つの入力ソース（チューナー部Ａ１６及び／又はチューナー部Ｂ１７）の入力チャンネルのチャンネル番号を保存する（ステップＳ２）。
【００６１】
次に、デュアルビュー表示装置の電源を切り、画面を非視聴状態にする（図５（ｂ））（ステップＳ３）。
【００６２】
この後、視聴者によって電源を入れる操作が行われる（ステップＳ４）。
【００６３】
視聴者による電源を入れる操作を受けて、ＣＰＵ１１がメモリー１３に保存された電源を切る前の表示状態を読み出す（ステップＳ５）。
【００６４】
ここで、メモリー１３に保存された表示状態がデュアル表示であった場合は、図７の起動画像がシングル表示された状態で起動する。すなわち図７の起動画面が第一方向６１と第二方向６３にそれぞれ表示される（図５（ｃ））。なお、この起動画像はメモリー１３に保存された２つの入力チャンネルの画像２４、２５が、画像表示回路によってそれぞれ画面の右半分と左半分に表示され、文字表示回路によってそれぞれの入力チャンネルのチャンネル番号を示す文字２１、２２及びシングル表示で電源が切られたのか、デュアル表示で電源が切られたのかを示す文字２３が表示されたものである。（ステップＳ６）。
【００６５】
さらに、予め設定しておいた時間（例えば３秒）が経過すると、デュアルビュー表示となり、メモリー１３に保存されていた２つの入力チャンネルの画像がそれぞれの方向に表示される。すなわち電源切る前と同じ表示状態になる（ステップＳ７）。
【００６６】
次に、スタート時点でシングル表示されていた場合について説明する（図６（ａ））。
【００６７】
ステップＳ１からステップＳ４まではスタート時点でデュアル表示されていた場合と同様である（図６ｂ）。
【００６８】
ステップ５において、メモリー１３に保存された表示がシングル表示であった場合は、図８の起動画像がシングル表示された状態で起動する。すなわち図８の起動画面が第一方向６１と第二方向６３にそれぞれ表示される（図６（ｃ））。なお、この起動画像はメモリー１３に保存された１つの入力チャンネルの画像３４が、画像表示回路によって表示され、文字表示回路によって入力チャンネルのチャンネル番号を示す文字３１及びシングル表示で電源が切られたのか、デュアル表示で電源が切られたのかを示す文字３３が表示されたものである。（ステップＳ８）。
【００６９】
さらに、予め設定しておいた時間（例えば３秒）が経過すると、文字３１及び文字３３が消える。すなわち電源を切る前と同じ表示状態（通常状態）になる（ステップＳ９）。
【００７０】
このように、シングル表示状態で起動することで、マルチビュー表示装置の起動時に、視聴者が正面方向６２から表示画面を見て、複数の表示方向に対する画像が重なって見えてしまうことを防ぐことができる。さらに表示画面の全面をシングル表示させることで、視聴者は起動時の視聴方向を気にする必要がなくなる。
【００７１】
また、非視聴状態になる前の表示状態に応じた状態で起動することで、視聴者の好みのチャンネルで起動することができる。
【００７２】
特に、電源を切る前の表示状態がデュアルビュー表示であった場合に、電源を切る前と同じ状態で起動させた場合、視聴者はシングル表示状態なのか、デュアル表示状態なのかが画面を見ただけではわからない。
【００７３】
さらに、視聴者が正面方向６２から視聴した場合は第一画像と第二画像が重なってしまい、視聴者が第一方向６１又は第二方向６３から視聴した場合は、もう一方の表示方向にどのような画像が表示されているのかがわからない。このため、視聴者は視聴位置を移動させなければ、複数の表示方向に対する画面表示がどのようになっているのか知ることができない。
【００７４】
シングル表示状態で起動させ、それぞれの表示方向に表示されていた入力チャンネルの画像を表示させることで、電源を切る前の表示状態が一目でわかるようになる。
【００７５】
なお、起動画面を表示させた際に、デュアル表示とシングル表示の選択及び入力チャンネルを選択する選択画像を表示するようにしてもよい。これによって、視聴者は電源を切る前の表示状態を見ながら、表示状態を選択することができ、好みに応じた表示の選択が容易になる。
【００７６】
また、本実施の形態では入力ソースは２つのチューナー部であったが、入力ソースはこれに限らず、ビデオやＤＶＤなどの映像情報再生機であってもよいし、パソコンやビデオカメラによる映像出力等であってもよい。なおその際に入力チャンネルとは、入力ソースにおけるテレビチャンネルのみならず、これらの入力系統を含むこととなる。
【００７７】
そのため、視聴画像はテレビ放送のいずれかのチャンネルの画像に限らず、ＤＶＤ映像やパソコンの作業用画像等これらの入力系統の視聴用の画像を含むこととなる。
【００７８】
また、本実施の形態では電源を切った状態を非視聴状態としたが、非視聴状態は電源を切った状態に限らず、例えば黒表示状態や、スクリーンセーバー表示状態などがある。
【００７９】
なお、電源を切る前の複数の入力ソースのうち、１つの入力ソースからのみ視聴画像が送られてくる場合（他の入力ソースにおいて、テレビ放送が終了している場合や、ビデオの電源が入っていない場合等）は、１つの入力ソースの画像を全面に表示させる単画面表示を行うようにしてもよい。
【００８０】
また、非視聴状態になる前の表示状態にかかわらず、いずれかの１つの入力チャンネルを選択して、全面に単画面表示させた状態で起動させるようにしてもよい。表示させる入力チャンネルの選択は、非視聴状態になる前にマルチビュー表示されていた複数の入力チャンネルのうち、いずれか一つを選択するようにしてもよいし、視聴者の視聴履歴に基づいて選ぶようにしてもよい。
【００８１】
特に視聴者の視聴履歴に応じて入力チャンネルを選択する場合は、見る頻度の高い入力チャンネルを選択することも有効であるし、デュアル表示させる前の最も最近の、シングル表示の際の入力チャンネルを選択することも有効である。
【００８２】
［実施の形態２］
実施の形態１では、起動時に表示画面の全面を単画面表示させたが、表示画面の一部を単画面表示させ、表示画面の一部をデュアル表示させるようにしてもよい。
【００８３】
この場合は、実施の形態１のステップＳ６において、図７の起動画面を単画面表示させる代わりに、図９の２つの表示画像を第一方向６１と第二方向６３にそれぞれ表示させる。
【００８４】
まず、画面の表示領域をデュアル表示させる領域（デュアル領域）とシングル表示させる領域（シングル領域）に分割する。次に、デュアル表示領域には、電源を切る前に第一方向６１と第二方向６３に表示されていた入力チャンネルの画像を画像表示回路がそれぞれ表示させる。さらに、シングル表示領域には、電源を切る前の表示状態を示す文字９０、９１（識別情報）を文字表示回路が示す。
【００８５】
このような表示を行うことによって、デュアルビュー表示装置の起動時において、視聴者が正面方向６２から表示画面を見ても、少なくとも単画面表示領域に関しては、２つの表示方向に関する画像が重なって見えてしまうことを防ぐことができる。これによって、視聴者はどの方向から見ても、起動時の表示状態を知ることができるようになる。
【００８６】
さらに、電源を切る前の表示状態を反映させているので、視聴者は一旦電源を切った後でも、例えばリモコン操作などによって、簡単に同じ状態で視聴を開始できる。
【００８７】
なお、シングル表示領域に表示させる電源を切る前の表示状態を示す識別情報は文字のみに限らず、それぞれの入力チャンネルの画像でもよい。
【００８８】
［実施の形態３］
実施の形態１及び実施の形態２では、視聴者の電源を入れる操作によって、表示画面の少なくとも一部分を自動的に単画面表示で起動するようにしたが、視聴者のボタン操作によって、シングル表示で起動させるようにしてもよい。
【００８９】
これは、図１０に示すように、シングル表示起動ボタン５２をリモコン２００（操作手段）に設けることで、実現させることができる。すなわちシングル表示起動ボタンによる起動の信号が検知された場合はシングル表示で起動させる。
【００９０】
これによって、マルチビュー表示装置の起動時に、重なった２つの画像を見ないようにできる。この場合は、どの方向から見ても同じ画像を視聴できる。
【００９１】
また、シングル表示起動ボタンは、シングル表示とデュアル表示の切替ボタンを兼用することが好ましい。これによって、ボタンの数が少なくなり視聴者にとってわかりやすい操作が可能となる。
【００９２】
なお、シングル表示起動ボタンはチャンネル選択ボタン５３と兼用させてもよい。さらに、デュアル表示起動ボタンはチャンネル選択ボタン５３の複数のボタンのうち、２つ以上のボタンを押すことで代用してもよい。またビデオ入力選択ボタン等、その他のボタンと兼用させることも好ましい。
【００９３】
チャンネル選択ボタンやビデオ入力選択ボタン等と兼用させることで、視聴者は一つ又は複数のボタンを押す操作一つで、好みのチャンネルをシングル表示で起動させることができる。これによって、起動時の複数の操作が短縮されるとともに、好みのチャンネルが表示されるまでの時間も短縮できる。
【００９４】
また、操作手段はリモコン２００のボタンに限られるものではなく、本体にボタンを設けてもよいし、タッチパネルによって操作できるようにしてもよい。
【００９５】
また、単画面表示とマルチビュー表示可能なマルチビュー表示装置に、画像を出力するコンピュータにおいて、上記表示を行うプログラムを実行させることによっても、コンピュータの起動時に、いずれの方向からでも画像を正しく認識できるようにすることができる。
【産業上の利用可能性】
【００９６】
本発明は単画面表示とマルチビュー表示を表示可能なマルチビュー表示装置に利用可能である。
【図面の簡単な説明】
【００９７】
【図１】は、本発明の実施の形態に係るデュアルビュー表示装置の構成を示したブロック図である。
【図２】は、本発明の実施の形態に係るデュアルビュー表示装置の表示部の構成図である。
【図３】は、本発明の実施の形態に係るデュアルビュー表示装置の表示状態をそれぞれ示した図である。
【図４】は、本発明の実施の形態に係る表示装置の、動作を示すフローチャートである。
【図５】は、本発明の実施の形態における、デュアル表示で電源を切った際の表示動作を示した図である。
【図６】は、本発明の実施の形態における、シングル表示で電源を切った際の表示動作を示した図である。
【図７】は、本発明の実施の形態に係る起動画面１を示した図である。
【図８】は、本発明の実施の形態に係る起動画面２を示した図である。
【図９】は、本発明の実施の形態に係る別の起動画面を示した図である。
【図１０】は、本発明の実施の形態に係るリモコンの例を示した図である。
【符号の説明】
【００９８】
１００  デュアルビュー表示装置
２００  リモコン（操作手段）
【図１】
0004789667.tif 000002
【図２】
0004789667.tif 000003
【図３】
0004789667.tif 000004
【図４】
0004789667.tif 000005
【図５】
0004789667.tif 000006
【図６】
0004789667.tif 000007
【図７】
0004789667.tif 000008
【図８】
0004789667.tif 000009
【図９】
0004789667.tif 000010
【図１０】
0004789667.tif 000011